(57)【特許請求の範囲】
【請求項１】
筒部内の挟持部に挟持される鉛芯を該筒部の前方へ繰り出すようにした鉛芯繰出し機構と、前記筒部に対し前方へ離脱可能に装着された前側着脱部とを備え、
前記前側着脱部は、前記筒部よりも前方側に、前記鉛芯繰出し機構により繰出される鉛芯の外周面に近接又は接触して該鉛芯を挿通する芯挿通孔を有し、
前記筒部は、前記挟持部よりも前方側であって且つ前記芯挿通孔よりも後方側に、前記挟持部に挟持された鉛芯の外周面に対し近接又は接触する硬質の環状突起を有することを特徴とするシャープペンシル構造。
【請求項２】
前記鉛芯繰出し機構は、前記筒部内に、径方向の開閉運動と前後への進退運動により鉛芯を繰り出す前記挟持部と、前記挟持部よりも前方側で鉛芯の外周面に対し弾性的に圧接される弾圧接部材とを備え、前記環状突起は、前記筒部における前記弾圧接部材よりも前方側に設けられていることを特徴とする請求項１記載のシャープペンシル構造。
【請求項３】
前記前側着脱部は、前記筒部の前端側に着脱可能な着脱筒部と、該着脱筒部の前側開口部に挿通されて該着脱筒部の前端から前方へ突出するとともに該着脱筒部に対し進退可能に支持されて前記鉛芯繰出し機構から繰出される鉛芯を挿通するホルダーとを備え、前記鉛芯から前記ホルダーに加わる径方向の力により前記ホルダーを前記着脱筒部及び前記鉛芯に相対し前進させる運動方向変換機構を構成し、
前記ホルダーは、前記筒部の前記環状突起よりも前方側に、前記芯挿通孔を有することを特徴とする請求項１又は２記載のシャープペンシル構造。
【請求項４】
請求項１乃至３何れか１項記載のシャープペンシル構造を具備した筆記具。
【発明の詳細な説明】
【技術分野】
【０００１】
本発明は、シャープペンシル用リフィールやシャープペンシル等を構成するシャープペンシル構造及び該シャープペンシル構造を具備した筆記具に関するものである。
【背景技術】
【０００２】
従来、この種の発明には、例えば特許文献１及び２に記載されるもののように、筒部内の挟持部（チャック等）に挟持した鉛芯を該筒部の前方へ繰り出す鉛芯繰出し機構と、前記筒部に対し前方へ離脱可能に装着された前側着脱部（前側軸筒や先部材等）とを備え、ノック操作により鉛芯を繰り出すようにしたシャープペンシルがある。
【先行技術文献】
【特許文献】
【０００３】
【特許文献１】特開２０１５−１２３６８９号公報
【特許文献２】特開２００１−３９０８１号公報
【発明の概要】
【発明が解決しようとする課題】
【０００４】
ところで、前記従来技術によれば、前記筒部内での芯詰まりや芯折れ等を生じた際に、使用者等によって、前記前側着脱部が外されて再組立されるという作業が行われる場合がある。
このような作業中、例えば、図９（ａ）（ｂ）に示すように、前側着脱部（図示せず）が外された状態の筒部１２０から鉛芯Ｘの前端側が突出しており、この鉛芯Ｘの折れ目ｂが筒部１２０の内部に位置している状態で、先組立てされる前側着脱部（図示せず）が鉛芯Ｘの前端部に当接する等して、鉛芯Ｘ前側の折れた先行芯ｘ１に後方への押圧力が加わると、先行芯ｘ１が傾斜し、この傾斜した先行芯ｘ１の後端部が、鉛芯Ｘの後続芯ｘ２に係止したり重なったりして、この傾斜状態が維持されてしまう場合がある。
このような場合、ノック操作が行われても、鉛芯Ｘの後続芯ｘ２が先行芯ｘ１を押し出すことができず、作動不良を生じてしまう可能性がある。
なお、図９の例示によれば、鉛芯Ｘの先行芯ｘ１が弾圧接部材１１０（芯ブレーカや芯戻り止め部材と呼称される場合もある）を弾性変形させて傾斜しているが、例えば、特許文献２に記載のシャープペンシルのように、弾圧接部材が前側着脱部（先部材）と共に外される態様の場合であっても、鉛芯Ｘの折れた先行芯ｘ１が、傾斜した状態で、挟持部（チャック体）の前端側で周方向に分割された爪部の間に挟まり、作動不良を生じる場合がある。
また、先行芯ｘ１が筆記により消耗した鉛芯Ｘの残りである場合も、前記着脱作業等によって同様の問題を生じる可能性がある。
【課題を解決するための手段】
【０００５】
このような課題に鑑みて、本発明は、以下の構成を具備するものである。
筒部内の挟持部に挟持される鉛芯を該筒部の前方へ繰り出すようにした鉛芯繰出し機構と、前記筒部に対し前方へ離脱可能に装着された前側着脱部とを備え、前記前側着脱部は、前記筒部よりも前方側に、前記鉛芯繰出し機構により繰出される鉛芯の外周面に近接又は接触して該鉛芯を挿通する芯挿通孔を有し、前記筒部は、前記挟持部よりも前方側であって且つ前記芯挿通孔よりも後方側に、前記挟持部に挟持された鉛芯の外周面に対し近接又は接触する硬質の環状突起を有することを特徴とするシャープペンシル構造。
【発明の効果】
【０００６】
本発明は、以上説明したように構成されているので、芯詰まりに起因した作動不良を防ぐことができる。
【図面の簡単な説明】
【０００７】
【図１】本発明に係るシャープペンシル構造の一例を適用したシャープペンシルを示す半断面図である。
【図２】同シャープペンシル構造において、鉛芯繰出し機構と前側着脱部を分離した状態を示す要部全断面図である。
【図３】前側着脱部が外された鉛芯繰出し機構を示す要部全断面図であり、（ａ）は通常状態を示し、（ｂ）は外力により鉛芯が折れた状態を示す。
【図４】前側着脱部が外された鉛芯繰出し機構を示す要部全断面図であり、（ａ）は折れ目を有する鉛芯が挿通されている状態を示し、（ｂ）は前方から鉛芯に外力が加わった状態を示す。
【図５】本発明に係るシャープペンシル構造の他例を適用したシャープペンシルユニットを示す半断面図である。
【図６】図５のシャープペンシル構造において、鉛芯繰出し機構と前側着脱部を分離した状態を示す要部全断面図である。
【図７】本発明に係るシャープペンシル構造の他例を適用したシャープペンシルを示す要部半断面図である。
【図８】図７のシャープペンシル構造において、鉛芯繰出し機構と前側着脱部を分離した状態を示す要部全断面図である。
【図９】従来のシャープペンシル構造を示す要部断面図であり、（ａ）は折れ目を有する鉛芯が挿通されている状態を示し、（ｂ）は前方から鉛芯に外力が加わった状態を示す。
【発明を実施するための形態】
【０００８】
本実施の形態のシャープペンシル構造における特徴の一つは、筒部内の挟持部に挟持される鉛芯を該筒部の前方へ繰り出すようにした鉛芯繰出し機構と、前記筒部に対し前方へ離脱可能に装着された前側着脱部とを備え、前記筒部における前記挟持部よりも前方側に、前記挟持部に挟持された鉛芯の外周面に対し近接又は接触する硬質の環状突起が設けられている（図１〜図８参照）。
【０００９】
さらに好ましい態様として、前記鉛芯繰出し機構は、前記筒部内に、径方向の開閉運動と前後への進退運動により鉛芯を繰り出す前記挟持部と、前記挟持部よりも前方側で鉛芯の外周面に対し弾性的に圧接される弾圧接部材とを備え、前記環状突起は、前記筒部における前記弾圧接部材よりも前方側に設けられている（図１〜図６参照）。
【００１０】
また、他の特徴として、前記前側着脱部は、前記筒部の前端側に着脱可能な着脱筒部と、該着脱筒部の前側開口部に挿通されて該着脱筒部の前端から前方へ突出するとともに該着脱筒部に対し進退可能に支持されて前記鉛芯繰出し機構から繰出される鉛芯を挿通するホルダーとを備え、前記鉛芯から前記ホルダーに加わる径方向の力により前記ホルダーを前記着脱筒部及び前記鉛芯に相対し前進させる運動方向変換機構を構成している（図１，２，５，６参照）。
【００１１】
さらに、他の特徴としては、上記シャープペンシル構造を具備して筆記具を構成した（図１及び図７参照）。
【００１２】
＜第１の実施態様＞
次に、上記特徴を有する具体的な実施態様について、図面に基づいて詳細に説明する。
なお、本明細書中、軸方向とは、軸筒や筒部、着脱筒部等の中心線の延びる方向を意味する。また、「前」とは、前記軸方向の一方側であって鉛芯が繰り出される方向を意味する。また、「後」とは、前記軸方向の前記一方側に対する逆方向側を意味する。また、「径方向」とは、前記軸方向に対し直交する方向を意味する。また、「径外方向」とは、前記径方向に沿って軸心から離れる方向を意味する。「径内方向」とは、前記径方向に沿って軸心へ近づく方向を意味する。
【００１３】
図１は、本発明に係るシャープペンシル構造を適用した筆記具の一例としてシャープペンシルを構成したものである。
このシャープペンシル１は、筒部１１内の挟持部１２に挟持した鉛芯Ｘを筒部１１よりも前方へ繰り出す鉛芯繰出し機構１０と、筒部１１に対し前方へ離脱可能に装着された前側着脱部２０とを備える。
【００１４】
鉛芯繰出し機構１０は、軸筒３０の後端から後方へ突出するノック部１１ｈのノック操作により挟持部１２に挟持された鉛芯Ｘを繰り出す機構である。
詳細に説明すれば、この鉛芯繰出し機構１０は、筒部１１内に、径方向の開閉運動と前後への進退運動により鉛芯Ｘを繰り出す挟持部１２と、挟持部１２に対し後方側へ外れるように嵌り合うクラッチリング１３と、挟持部１２よりも前方側で鉛芯の外周面に対し弾性的に圧接される弾圧接部材１４とを具備している。
【００１５】
筒部１１は、第１の筒部１１ａと、この第１の筒部１１ａの後端に接続された第２の筒部１１ｂとを一体的に接続してなる。
【００１６】
第１の筒部１１ａは、金属等の硬質材料から長尺な略円筒状に形成され、その最先端部に、挟持部１２に挟持された鉛芯Ｘの外周面に対し近接又は接触する環状突起１１ａ１を有する。
環状突起１１ａ１は、第１の筒部１１ａの前端部から径内方向へ突出する円環状の突起であり、全周にわたって連続している。
この環状突起１１ａ１の最小径部分の内径は、鉛芯Ｘを遊挿可能であって、且つ鉛芯Ｘが撓んだ際には該鉛芯Ｘの外周面に接触するように、鉛芯Ｘの外径よりも若干大きい径に設定されている。
また、環状突起１１ａ１の最小部分の前端には、当接した鉛芯Ｘが折れ易くなるように、角１１ａ２が設けられている（図３参照）。
【００１７】
第２の筒部１１ｂは、後端側に鍔部１１ｂ１を有する略円筒状の部材であり、この鍔部１１ｂ１を所定量進退するように軸筒３０内に係合している。
鍔部１１ｂ１はその後側の筒状の受け部材１１ｃに当接（図１参照）、もしくは第１の付勢部材１１ｄに直接当接（図示せず）しており、第１の付勢部材１１ｄ（図示例によれば圧縮コイルバネ）により前方へ付勢されている。
第２の筒部１１ｂにおける鍔部１１ｂ１の前側には、弾性材料からなる緩衝部材２４（図示例によればＯリング）が環状に装着されている。
また、図１に示す一例の場合、受け部材１１ｃの後端側は、軸筒３０の後部側を構成する後軸３２に対し、所定量進退するように嵌り合っている。
【００１８】
第１の付勢部材１１ｄは、挟持部１２に挟持された鉛芯Ｘに過剰な後方への押圧力が加わった際に、挟持部１２、クラッチリング１３、第２の筒部１１ｂ等を一体的に後退させるようにその付勢力が設定されている。
【００１９】
第２の筒部１１ｂの内部には、後方側からスライド支持筒１１ｅが挿入されている。このスライド支持筒１１ｅは、第２の筒部１１ｂに対し所定量進退するように係合しており、第２の付勢部材１１ｆ（図示例によれば圧縮コイルバネ）によって、第２の筒部１１ｂに対し後方へ付勢されている。
スライド支持筒１１ｅの後端側には、鉛芯Ｘを複数蓄えるための筒状の芯タンク１１ｇが接続され、さらに芯タンク１１ｇの後端部にはノック部１１ｈが接続されている。
また、スライド支持筒１１ｅの前端側には、挟持部１２の基端側が接続固定さている。
【００２０】
挟持部１２は、弾性的に撓むことが可能な合成樹脂材料又は金属材料から略長尺筒状に形成され、その前端側には、鉛芯Ｘの周囲に位置するように周方向に分離した複数（例えば２〜４程度）の爪部１２ａを有する。なお、この挟持部１２は、チャックと呼称される場合もある。
複数の爪部１２ａは、クラッチリング１３内に嵌り合うことで、縮径方向へ弾性的に撓んでおり、クラッチリング１３が外れた際に、復元力によって径外方向へ拡がる。
【００２１】
クラッチリング１３は、挟持部１２の爪部１２ａに対し環状に嵌り合う略円筒状の部材であり、筒部１１内で所定量進退するように設けられる。
【００２２】
弾圧接部材１４は、エラストマー樹脂やゴム等からなる略円筒状の部材であり、その内周面を、鉛芯Ｘの外周面に弾性的に圧接する。
【００２３】
また、挟持部１２と弾圧接部材１４の間には、鉛芯Ｘの周囲を覆い保護するとともに挟持部１２の進退に伴って前後へスライドするスライド筒１５と、スライド筒１５を後方へ付勢する第３の付勢部材１６（図示例によれば圧縮コイルバネ）とが設けられている。
【００２４】
前側着脱部２０は、軸筒３０の前軸である着脱筒部３１と、着脱筒部３１の前側開口部に挿通されて着脱筒部３１の前端から前方へ突出するとともに着脱筒部３１に対し進退可能に支持されて鉛芯繰出し機構１０から繰出される鉛芯Ｘを挿通するホルダー２１と、該ホルダー２１の後端側に接続された筒状の受け部材２２と、受け部材２２を後方へ付勢する第３の付勢部材２３（図示例によれば圧縮コイルバネ）とを備え、鉛芯Ｘからホルダー２１に加わる径方向の力によりホルダー２１を着脱筒部３１及び鉛芯Ｘに相対し前進させる運動方向変換機構を構成している。
【００２５】
着脱筒部３１は、軸筒３０の前側部分（前軸）を構成する円筒状の部材であり、その内周面後端側の雌ネジ部３１ａを、後軸３２の前端側の雄ネジ部３２ａに螺合している。したがって、この着脱筒部３１は、雌ネジ部３１ａと雄ネジ部３２ａの間の螺合状態を緩めたり締付けたりすることで、後軸３２に対し着脱可能である。
【００２６】
ホルダー２１は、略円筒状の部材であり、その外周部にカム斜面２１ａを有し、内周部には、鉛芯Ｘの外周面に近接又は接触して該鉛芯Ｘを挿通する芯挿通孔２１ｂと、芯挿通孔２１ｂよりも後側で鉛芯繰出し機構１０を収納する収容室２１ｃ（図２参照）とを有する。カム斜面２１ａは、前方へ向かって拡径する円錐状の面であり、着脱筒部３１前端の開口縁に摺接するように配置されている。
【００２７】
なお、前側着脱部２０は、その内部構造を、特許文献１の発明と略同様にしており、鉛芯Ｘに加わる径方向の力によりホルダー２１を前進させ、この前進した際のホルダー２１により鉛芯Ｘ前端側を覆い保護する。
【００２８】
次に、上記構成のシャープペンシル１について、その特徴的な作用効果を詳細に説明する。
先ず、鉛芯繰出し機構１０から前方へ鉛芯Ｘが突出した状態で、後軸３２と着脱筒部３１（前軸）の螺合箇所を緩めれば、図２に示すように、前側着脱部２０と、鉛芯Ｘを突出させた鉛芯繰出し機構１０とを二つに分離することができる。
【００２９】
この後、再組立作業等の際に、鉛芯繰出し機構１０の筒部１１から突出した鉛芯Ｘに対し、過剰な押圧力が加わった場合、鉛芯Ｘは、環状突起１１ａ１における径内方向の先端部に当接して、図３（ｂ）に示すように、筒部１１の外側で径外方向へ折れて離脱する。
このため、鉛芯Ｘが筒部１１内で折れて、鉛芯Ｘの折れた部分や砕けた破片等が筒部１１内に詰まり、後続芯ｘ２の前進が妨げられるようなことを防ぐことができる。
【００３０】
また、図４（ａ）（ｂ）に示すように、鉛芯Ｘの折れ目ｂが鉛芯繰出し機構１０内に位置しており、折れ目ｂよりも前側の先行芯ｘ１に対し後方向きの押圧力が加わった場合には、先行芯ｘ１が傾くのを環状突起１１ａ１によって抑制することができる。なお、先行芯ｘ１が筆記により消耗した鉛芯Ｘの残りである場合も、同様の作用効果を得ることができる。
したがって、先行芯ｘ１が傾いて、後続芯ｘ２が先行芯ｘ１を押し出すことができず、作動不良を生じてしまうようなことを防ぐことができる。
【００３１】
＜第２の実施態様＞
次に、本発明に係る他の実施態様について説明する。なお、以下に示す実施態様は、上記シャープペンシル１の構造を一部変更したものであるため、主にその変更部分について詳述し、略同様の部分については同一の符号を付けて重複する詳細説明を省略する。
【００３２】
図５は、本発明に係るシャープペンシル構造を備えたシャープペンシルユニット２を示す。このシャープペンシルユニット２は、多機能筆記具や出没式筆記具のシャープペンシル用リフィール、あるいはその他のシャープペンシルの内部機構として適用可能なものである。
【００３３】
シャープペンシルユニット２は、筒部１７内の挟持部１２に挟持される鉛芯Ｘを前方へ繰り出す鉛芯繰出し機構１０’と、筒部１７に対し前方へ離脱可能に装着された前側着脱部２０’とを備える。
【００３４】
鉛芯繰出し機構１０’は、筒部１７内に、上述した挟持部１２、クラッチリング１３、弾圧接部材１４等を具備し、後方へ突出する芯タンク１１ｇの進退運動を挟持部１２に伝達して、挟持部１２に挟持された鉛芯Ｘを繰り出すように構成される。
【００３５】
筒部１７は、第１の筒部１７ａと、この第１の筒部１７ａの後端に接続された第２の筒部１７ｂとを具備して構成される。
【００３６】
第１の筒部１７ａは、金属等の硬質材料から長尺な略円筒状に形成され、その最先端部に、挟持部１２に挟持された鉛芯Ｘの外周面に対し近接又は接触する環状突起１７ａ１を有する。
環状突起１７ａ１は、上述した環状突起１１ａ１と同形状に形成され、その径内方向の突端部の前端に、角１７ａ２（図６参照）を有する。
【００３７】
第２の筒部１７ｂは、第１の筒部１７ａの後側に接続固定された長尺筒状の部材であり、その後端部に、筒状のスライド接続部１７ｃを介して芯タンク１１ｇを進退可能に接続している。
【００３８】
上記構成の筒部１７の内部には、その前端寄りに進退不能に弾圧接部材１４が固定され、この弾圧接部材１４から後方へ離れた位置に挟持部１２及びクラッチリング１３が配設される。
【００３９】
クラッチリング１３は、前方への移動が第１の筒部１７ａ内の段部との当接により規制され、後方への移動がクラッチ受け１８ａとの当接により規制されている。
クラッチ受け１８ａは、所定量進退可能に第１の筒部１７ａ内に設けられ、前方への移動が第１の筒部１７ａ内の段部との当接により規制されている。クラッチ受け１８ａの後方側の第１の付勢部材１８ｂ（図示例によれば圧縮コイルバネ）は、挟持部１２を支持するスライド支持筒１８ｃを後方へ付勢している。
そして、第１の付勢部材１８ｂの後端側は、挟持部１２を支持するスライド支持筒１８ｃによって受けられている。
【００４０】
スライド支持筒１８ｃは、筒部１７内で所定量進退するように設けられ、その前端側が挟持部１２の基端側に接続されている。
このスライド支持筒１８ｃの後端側は、第２の付勢部材１８ｄ（図示例によれば圧縮コイルバネ）の前端側に嵌っている。
【００４１】
第２の付勢部材１８ｄは、その後端側がスライド接続部１７ｃの前端側に係止され、スライド支持筒１８ｃとスライド接続部１７ｃの間を弾発している。
また、第２の付勢部材１８ｄの前端部は、その前側の第３の付勢部材１８ｅによって受けられている。第３の付勢部材１８ｅの前端部は、第１の筒部１７ａ後端によって受けられている。
【００４２】
鉛芯繰出し機構１０’において、前記付勢部材の付勢力の大小関係は、第１の付勢部材１８ｂ＞第２の付勢部材１８ｄ＞第３の付勢部材１８ｅになっている。
【００４３】
上記構成の鉛芯繰出し機構１０’によれば、芯タンク１１ｇの進退運動により、スライド接続部１７ｃの前端部がスライド支持筒１８ｃに当接して進退すると、挟持部１２が進退運動及び開閉運動して鉛芯Ｘを繰り出す。
また、挟持部１２に挟持された鉛芯Ｘに過剰な後方への力が加わると、挟持部１２、クラッチリング１３、クラッチ受け１８ａ、第１の付勢部材１８ｂ及びスライド支持筒１８ｃが、第２の付勢部材１８ｄの付勢力に抗して後退する。
【００４４】
また、前側着脱部２０’は、着脱筒部２５と、着脱筒部２５の前側開口部に挿通されて着脱筒部２５の前端から前方へ突出するとともに着脱筒部２５に対し進退可能に支持されて鉛芯繰出し機構１０’から繰出される鉛芯Ｘを挿通するホルダー２６と、該ホルダー２６の後端側に接続された筒状の受け部材２７と、受け部材２７を後方へ付勢する第４の付勢部材２８（図示例によれば圧縮コイルバネ）とを備え、鉛芯Ｘからホルダー２６に加わる径方向の力によりホルダー２６を着脱筒部２５及び鉛芯Ｘに相対し前進させる運動方向変換機構を構成している。
【００４５】
着脱筒部２５は、円筒状の部材であり、筒部１７に対し着脱可能である。
【００４６】
ホルダー２６は、略円筒状の部材であり、その外周部にカム斜面２６ａを有し、内周部には、鉛芯Ｘの外周面に近接又は接触して該鉛芯Ｘを挿通する芯挿通孔２６ｂを有する。カム斜面２６ａは、前方へ向かって拡径する円錐状に形成され、着脱筒部２５前端の開口縁に摺接するように配置されている。
【００４７】
よって、上記構成のシャープペンシルユニット２によれば、先に説明したシャープペンシル１と略同様に、鉛芯繰出し機構１０’と前側着脱部２０’間の着脱等に起因して、鉛芯Ｘにおける筒部１７から前方へ突出した部分（図６参照）に過剰な押圧力が加わった際に、この突出部分を、環状突起１７ａ１に当接させて、筒部１７の外部側で切断することができる。
さらに、鉛芯繰出し機構１０’内に鉛芯Ｘの折れ目や後続芯との境目がある場合に、鉛芯Ｘにおける前記折れ目等よりも前側の部分が傾斜し、この傾斜した前側部分によって後続芯の前進が妨げられるようなことを防ぐことができる。
【００４８】
＜第３の実施態様＞
図７は、本発明に係るシャープペンシル構造を備えたシャープペンシル３の要部を示す。
このシャープペンシル３は、筒部１９内の挟持部１２に挟持される鉛芯Ｘを筒部１９の前方へ繰り出す鉛芯繰出し機構１０”と、筒部１９に対し前方へ離脱可能に装着された前側着脱部２０”とを備える。
【００４９】
鉛芯繰出し機構１０”は、軸筒３３内の筒部１９内に、上述した挟持部１２、クラッチリング１３等を具備し、後部側の芯タンク１１ｇの進退運動を挟持部１２に伝達するように構成される。
【００５０】
筒部１９は、金属等の硬質材料から長尺な略円筒状に形成され、その最先端部に、挟持部１２に挟持された鉛芯Ｘの外周面に対し近接又は接触する環状突起１９ａ１を有する。
環状突起１９ａ１は、上述した環状突起１１ａ１と同形状に形成され、その径内方向の突端部に、角１９ａ２を有する。
また、筒部１９における前端側の外周面には、前側着脱部２０”を螺合接続するための雄ネジ部１９ａ３が設けられている。
そして、筒部１９は、環状突起１９ａ１及び雄ネジ部１９ａ３の部分を、前方へ突出させるようにして軸筒３３に挿通され、軸筒３３と一体的に扱われる。
【００５１】
なお、図７中、符号１２ｃは、挟持部１２を進退可能に支持するとともに芯タンク１１ｇに接続されたスライド支持筒、符号１２ｄは、スライド支持筒１２ｃを後方へ付勢する付勢部材（図示例によれば、圧縮コイルバネ）、符号３４は、装飾等のための環状部材である。
【００５２】
前側着脱部２０”は、筒部１９に対し着脱可能に装着された着脱筒部２９と、筒部１９から繰出される鉛芯Ｘを挿通する弾圧接部材１４とを備える。
【００５３】
着脱筒部２９は、先細円筒状の部材であり、その内周面後端側の雌ネジ部２９ａを、筒部１９の雄ネジ部１９ａ３に螺合している。この着脱筒部２９は、先口や先金と呼称される場合もある。
弾圧接部材１４は、着脱筒部２９内の前端側に、進退不能に嵌め合せられている。
【００５４】
このシャープペンシル３において、鉛芯Ｘを繰り出すための構造は、周知のシャープペンシルと同様である。
【００５５】
よって、上記構成のシャープペンシル３によれば、筒部１９と前側着脱部２０”間の着脱等に起因して、鉛芯Ｘにおける筒部１９から前方へ突出した部分（図８参照）に過剰な押圧力が加わった場合に、この突出部分を環状突起１９ａ１に当接させて、筒部１９の外部側で切断することができる。
さらに、筒部１９内に鉛芯Ｘの折れ目や後続芯との境目がある場合に、鉛芯Ｘにおける前記折れ目等よりも前側の部分が、傾斜して周方向に隣接する爪部１２ａ間に挟まり、この傾斜した前側部分によって後続芯の前進が妨げられるようなことを防ぐことができる。
【００５６】
なお、上記実施態様によれば、筒部とその前側の着脱筒部とを螺合接続によって着脱可能にしたが、他例としては、これらを嵌合構造や係合構造等によって着脱可能にすることも可能である。
【００５７】
また、上記実施態様によれば、筒部前端側の環状突起を、筒部に一体に加工された部材としているが、他例としては、筒部とは別体の環状突起を、筒部又は該筒部と一体的な部分に接続した態様とすることも可能である。
【００５８】
また、上記実施態様によれば、後端側のノック操作により鉛芯が繰り出される構造としたが、他例としては、軸筒側面のボタン操作により鉛芯が繰り出される態様や、筆記具全体を振る操作により鉛芯が繰り出される態様等とすることも可能である。
【００５９】
また、本発明は上述した実施態様に限定されず、本発明の要旨を変更しない範囲で適宜変更可能である。
【符号の説明】
【００６０】
１，３：シャープペンシル
２：シャープペンシルユニット
１０，１０’，１０”：鉛芯繰出し機構
１１，１７，１９：筒部
１１ａ１，１７ａ１，１９ａ１：環状突起
１２：挟持部
１３：クラッチリング
１４：弾圧接部材
２０，２０’，２０”：前側着脱部
２１：ホルダー
２５：着脱筒部
２９：着脱筒部（先口）
３０：軸筒
３１：着脱筒部（前軸）
Ｘ：鉛芯
【図１】
0006685818.tif 000002
【図２】
0006685818.tif 000003
【図３】
0006685818.tif 000004
【図４】
0006685818.tif 000005
【図５】
0006685818.tif 000006
【図６】
0006685818.tif 000007
【図７】
0006685818.tif 000008
【図８】
0006685818.tif 000009
【図９】
0006685818.tif 000010